(57)【要約】本発明は、ＢＧＲ回路を調整するために利用される方法に関する。第１の調整工程において、電圧差動増幅器のオフセット調整が、所定の温度にて実行される。第２の調整工程において、ＢＧＲ回路によって生成された基準電圧は、所定の温度にて、電圧差動増幅器の外部回路の可変の抵抗値を設定することによって基準電圧の所定の値にレギュレートされる。ＢＧＲ回路は、電圧差動増幅器（ＯＰ１）と、電圧差動増幅器（ＯＰ１）に割り当てられて、可変の抵抗値（Ｒ０）を有する少なくとも一つのコンポーネントを有する外部回路とを備える。【選択図】図４
2004514230.tif 000002
【特許請求の範囲】
【請求項１】
温度安定化基準電圧（Ｖｒｅｆ）を発生させるための回路を該基準電圧の所定の値になるように調整する方法であって、該回路は、電圧差動増幅器（ＯＰ１）と、該電圧差動増幅器（ＯＰ１）に割り当てられて、可変の抵抗値（Ｒ０）を有する少なくとも一つのコンポーネントを有する外部回路とを備え、該方法は、
（ａ）所定の温度（ＴＲ）にて該電圧差動増幅器（ＯＰ１）のオフセット調整を実行する工程と、次に、
（ｂ）該同じ所定の温度（ＴＲ）にて、該基準電圧の該所定の値への該基準電圧の調整を、該少なくとも一つのコンポーネントの該可変の抵抗値（Ｒ０）を設定することによって実行する工程と
を包含する、方法。
【請求項２】
前記工程（ａ）は、
（ａ１）前記電圧差動増幅器（ＯＰ１）の入力を短絡させる部分工程と、
（ａ２）該電圧差動増幅器（ＯＰ１）の出力電圧を所定の電圧値にレギュレートする部分工程と
を包含することを特徴とする、請求項１に記載の方法。
【請求項３】
前記電圧差動増幅器（ＯＰ１）は、前記工程（ａ２）において比較器として動作されることを特徴とする、請求項２に記載の方法。
【請求項４】
前記工程（ｂ）は、
（ｂ１）前記回路の前記基準電圧（Ｖｒｅｆ）を測定する部分工程と、
（ｂ２）該測定された基準電圧（Ｖｒｅｆ）が、該基準電圧の前記所定の値を推定するまで、前記少なくとも一つのコンポーネントの前記可変の抵抗値（Ｒ０）を変更する部分工程と
を包含することを特徴とする、請求項１〜３のいずれかに記載の方法。
【請求項５】
温度安定化基準電圧を発生させる回路であって、
オフセット修正（Ｒｏｆｆｓｅｔ）の手段に割り当てられる、反転入力および非反転入力を有する電圧差動増幅器（ＯＰ１）と、
該反転入力および該非反転入力および該電圧差動増幅器（ＯＰ１）の出力と接続される、該電圧差動増幅器（ＯＰ１）の外部回路とを備え、該外部回路は、
特性が温度に関して異なった符号を有する、少なくとも２つの部分信号の和が、該電圧差動増幅器（ＯＰ１）の出力電圧に対応するように構成され、
可変の抵抗値（Ｒ０）を有する、少なくとも一つのコンポーネントを備え、該コンポーネントによって、該少なくとも２つの部分信号のうちの少なくとも一つの該温度特性に影響が及ぼされ得、
該電圧差動増幅器（ＯＰ１）の該入力を、該外部回路から分離するための第１のスイッチング手段（Ｓ１、Ｓ２）を有し、
該電圧差動増幅器（ＯＰ１）の該入力を短絡するための第２のスイッチング手段（Ｓ４）を有する、回路。
【請求項６】
前記外部回路は、共通の固定電位、特にグラウンド（ＶＳＳ）から前記電圧差動増幅器（ＯＰ１）の前記出力に延びる２つの回路ブランチを備えることと、
該電圧差動増幅器（ＯＰ１）の前記反転入力は、前記第１のスイッチング手段（Ｓ１、Ｓ２）の第１のスイッチ（Ｓ１）を介して該第１の回路ブランチのノードＫ１と接続されることと、
該電圧差動増幅器（ＯＰ１）の該非反転入力は、該第１のスイッチング手段（Ｓ１、Ｓ２）の第２のスイッチ（Ｓ２）を介して該第２の回路ブランチのノードＫ２と接続されることと
を特徴とする、請求項５に記載の回路。
【請求項７】
前記２つの回路ブランチは、それぞれ、トランジスタ回路（Ｔ１、Ｔ２）を備えることを特徴とする、請求項５または６に記載の回路。
【請求項８】
前記ノードＫ１およびＫ２は、それぞれ、抵抗器（Ｒ１、Ｒ２）を介して、前記電圧差動増幅器（ＯＰ１）の前記出力と接続されることを特徴とする、請求項５〜７のいずれかに記載の回路。
【請求項９】
前記２つのノードＫ１およびＫ２のうちの一つは、可変の抵抗値（Ｒ０）を有する該少なくとも一つのコンポーネントを介して第１のトランジスタ（Ｔ１）のコレクタ端子と接続され、該第１のトランジスタのベース端子は、該トランジスタのコレクタ端子と、および該トランジスタのエミッタ端子は、前記共通の固定電位にあることと、
該２つのノードＫ１およびＫ２のうちのもう一方は、第２のトランジスタ（Ｔ２）の該コレクタ端子と接続され、該第２のトランジスタのベース端子は、該第２のトランジスタのコレクタ端子と接続され、該第２のトランジスタのエミッタ端子は、該共通の固定電位にあることと、
を特徴とする、請求項５〜８のいずれかに記載の回路。
【請求項１０】
前記電圧差動増幅器（ＯＰ１）の前記２つの入力のうちの一つは、定電圧ソース（Ｖｄｃ）と接続され得ることと、
前記回路は、該電圧差動増幅器（ＯＰ１）の該入力を該定電圧ソース（Ｖｄｃ）から分離するための第３のスイッチング手段（Ｓ５）を有することと
を特徴とする、請求項５〜９のいずれかに記載の回路。
【請求項１１】
前記電圧差動増幅器（ＯＰ１）は、演算増幅器であることを特徴とする、請求項５〜１０のいずれかに記載の回路。
【請求項１２】
オフセット修正（Ｒｏｆｆｓｅｔ）のための手段は、調整可能なトリミング抵抗器であることを特徴とする、請求項５〜１１のいずれかに記載の回路。
【発明の詳細な説明】
【０００１】
本発明は、ＢＧＲ回路を調整する方法、およびこの方法により調節可能なＢＧＲ回路に関する。
【０００２】
温度および供給電圧の変動に依存しない一定の出力電圧を発生させる回路が半導体回路技術において多様に要求される。これらの回路は、アナログ回路、デジタル回路およびアナログデジタルハイブリッド回路の両方にて用いられる。このような回路のなかでよく用いられるタイプは、ＢＧＲ回路として公知の回路である（バンドギャップ基準回路）。
【０００３】
ＢＧＲ回路の基本原理は、互いに逆の温度応答を有する２つの部分信号（電圧または電流）を付加するということである。温度が上昇すると、２つの部分信号のうちの一つが下降し、もう一方の信号は、温度が上昇すると上昇する。特定の範囲にわたっての温度に関して一定の出力電圧が、従って、２つの部分信号の和から導き出される。ＢＧＲ回路の出力電圧は、通例の使用法に従って、以後、基準電圧とも呼ばれる。
【０００４】
ＢＧＲ回路における公知の問題は、同じ生産シリーズの回路が異なった基準電圧を有することである。従って、実際、所望の絶対基準電圧値および／または所望の基準電圧の温度の安定度に関して十分な精度を取得するために、多くの場合、ＢＧＲ回路を調整することが必要とされる。
【０００５】
ＢＧＲ回路は、例えば、抵抗器等の受動コンポーネント、および通常、差動増幅器または演算増幅器の形態の能動コンポーネントの両方を備える。理想的かつ計算された値および一定の温度応答からの基準電圧のずれは、受動および能動コンポーネントの整合性の欠如に起因する。
【０００６】
ＢＧＲ回路を調整する目的は、一方で、特定の温度にて取得された基準電圧値の、この温度に関して計算された値からのずれを最小化すること、他方、基準電圧の温度特性を最適化すること、すなわち、平坦な電圧／温度特性曲線を取得することである。
【０００７】
ＢＧＲ回路の調整に関して、これまでに以下の方法が開示されている。
【０００８】
第１の公知の方法において、オフセットを発生させる増幅器にて直接的にそのオフセット補償が実行される。大抵の演算増幅器は、この目的のために、適切な駆動入力を有する。オフセット補償は、回路の出力にて取得される基準電圧値と計算された値との間のずれの主なエラー要素を除去する。しかしながら、不利なのは、通常、上述のパラメータの残留ずれが残るということ、および基準電圧の最適温度特性が取得されず、むしろ、逆に、温度特性が、多くの場合、この工程によって損なわれるということである。
【０００９】
第２の公知の方法において、回路の出力電圧（すなわち、基準電圧）は、調節可能抵抗器、または回路の別の受動コンポーネントによって、計算された値に直接的に設定される。このようにして、設定が行われた温度にて正しい電圧値が取得される。不利な点は、基準電圧の最適温度の安定度がこの方法の場合に保証され得ないことである。
【００１０】
基準電圧の絶対値および温度の安定度に関して非常に厳しい要求を満たす必要があるＢＧＲ回路は、それらの回路の絶対値（オフセットエラーによって支配される）および回路の温度応答の両方の点について最適化される必要がある。このようなＢＧＲ回路は、２つの異なった温度にて調整される必要がある。このために複雑性が必要とされることは不利である。
【００１１】
本発明は、簡単に実行でき、かつ基準電圧の良好な安定度、および基準電圧値と期待されるかまたは計算される電圧値との間の良好な一致を達成することを可能にするＢＧＲ回路の調整方法を提示するという目的に基づく。さらに、本発明は、簡単な態様で調整され得るＢＧＲ回路を提供することを目的とする。
【００１２】
本発明に基づく記載された目的は、従属請求項の特徴を用いて達成される。
【００１３】
従って、請求項１に記載の本発明による調整方法は、順に実行されるべき２つの調整工程を包含する。第１の調整工程において、電圧差動増幅器のオフセット調整は、所定の温度にて実行される。第２の調整工程において、第１の調整工程において取得された基準電圧値は、その後、この回路の基準電圧の所定（すなわち、計算された）値に設定される。
【００１４】
本発明による方法の特別な利点は、２つの調整工程が、同一の温度にて、実行され、（にもかかわらず）この場合、取得された基準電圧の絶対値および温度特性の両方に関して調整がもたらされることである。
【００１５】
「電圧差動増幅器」という用語は、電圧差を増幅するように設計される任意のタイプの増幅器を意味する。特に、この用語は、差動増幅器および演算増幅器を含む。
【００１６】
第１の調整工程を実行する際の有利な手順は、この工程が、電圧差動増幅器の入力を短絡させる工程と、電圧差動増幅器の出力電圧を所定の電圧値になるようにレギュレートする工程とを包含することを特徴とする。所定の電圧値は、特に、同相モード電圧であり得、これは、電圧差動増幅器の動作電圧の正の電位および負の電位の平均値である。電圧差動増幅器は、好適には、オフセット調節において比較器として動作される。
【００１７】
請求項５による本発明の回路の場合、電圧差動増幅器の入力は、第１のスイッチング手段によって外部回路から分離され、および第２のスイッチング手段によって短絡され得る。この回路のこの構成において、電圧差動増幅器の短絡調整が、従って、オフセット修正の目的で実行され得る。その後、電圧差動増幅器の入力は、第１のスイッチング手段によって再び外部回路に接続され得、第２のスイッチング手段によって入力の短絡が取消され得る。回路のこの構成において、基準電圧の所定の値への回路の出力電圧の調整は、その後、調整可能な抵抗値を有する少なくとも一つのコンポーネントの抵抗値を変更することによって実行され得る。この調整は、所定の温度の周辺の特定の範囲において、実質的に一定の、すなわち温度に依存しない基準電圧が確定されるという効果を有する。
【００１８】
このＢＧＲ回路の利点は、電圧差動増幅器の電圧オフセットの補償、および回路の受動コンポーネントの調整の実行の両方のために同一の回路が用いられ得ることである。
【００１９】
本発明は、以下において、図面を参照して例示的に説明される。
【００２０】
図１Ａおよび図１Ｂは、取得された基準電圧と計算された基準電圧との間のずれの発生の原因である２つの実質的な効果を示す。
【００２１】
図１Ａは、調整されていないＢＧＲ回路によって出力される、温度範囲全体（Ｘ軸）に関してＹ軸上にプロットされる基準電圧が、計算された理想的基準電圧曲線ＲＳ０よりも高い（基準電圧曲線ＲＳ＋）か、または低い（基準電圧曲線ＲＳ−）プロファイルを有するが、その温度応答に関して最適に平坦なプロファイル、および室温または使用温度ＴＲに関して最適に対称的なプロファイルを有する。この効果は、主に電圧差動増幅器におけるオフセットによって引き起こされる。これは、従って、オフセットエラーと呼ばれ、通常、調整されていないＢＧＲ回路内の主なエラー要素である。
【００２２】
図１Ｂは、基準電圧が、温度が上昇すると増加する特性（基準電圧曲線ＲＳｄ＋）、または温度が上昇すると下降する特性（基準電圧曲線ＲＳｄ−）のどちらかを有する場合を示す。この結果は、主にＢＧＲ回路の受動コンポーネントの整合性の欠如に基づく。これは、以後、温度特性エラーとも呼ばれる。
【００２３】
図１Ａおよび図１Ｂを参照して説明される２つのエラーは、調整されていないＢＧＲ回路において一緒に生じる。
【００２４】
図２および図３は、本発明による方法の２つの調整工程を示す。この方法は、説明されたエラーを除去するという目的を有する。
【００２５】
図２は、本発明による第１の調整工程ＡＳ１を示す。基準電圧曲線ＲＳＯＴは、オフセットエラーおよび温度特性エラーの両方の影響を受ける。室温または使用温度ＴＲでの電圧差動増幅器のオフセット調整は、オフセットエラーを除去するので、基準電圧曲線ＲＳＯＴは、計算された理想的基準電圧曲線ＲＳ０の方向に、Ｘ軸に対して平行にシフトされる。しかしながら、最適温度特性は、この工程中は生成されない（すなわち、結果として生成された基準電圧曲線ＲＳＴは、その温度特性に関して、計算された理想的基準電圧曲線ＲＳ０とは依然として異なる）。なぜなら、ＢＧＲ回路の受動コンポーネントのエラーが補償されていないからである。
【００２６】
図３は、本発明による第２の調整工程ＡＳ２を示す。この場合、基準電圧曲線ＲＳＴの温度特性エラーは、室温または使用温度ＴＲにて基準電圧を基準電圧の所定の値に調整することによって除去される。結果として、基準電圧曲線ＲＳＴの温度特性は、計算された理想基準電圧曲線ＲＳ０に一致されて、両方の基準電圧曲線が、続いて同じプロファイルを有するようになる。
【００２７】
図４は、本発明によるＢＧＲ回路を示す。この回路は、本発明による方法を実行するために適切で、かつこの方法で設計される。演算増幅器ＯＰ１の反転入力は、演算増幅器ＯＰ１の外部回路の第１の回路ブランチのノードＫ１とスイッチＳ１を介して接続される。演算増幅器ＯＰ１の非反転入力は、演算増幅器ＯＰ１の外部回路の第２の回路ブランチのノードＫ２とスイッチＳ２を介して接続される。各場合について、２つの回路ブランチは、共通の固定電位、特に、グラウンドＶＳＳから共通ノードＫ３まで延び、ここから、これらの２つの回路ブランチは、演算増幅器ＯＰ１の出力とスイッチＳ３を介して接続される。
【００２８】
第１の回路ブランチは、ノードＫ１と共通ノードＫ３との間に抵抗器Ｒ１を有する。第２の回路ブランチにおいて、抵抗器Ｒ２は、ノードＫ２とノードＫ３との間に配置される。
【００２９】
さらに、ノードＫ１は、第１の回路ブランチのバイポーラトランジスタＴ１のコレクタ端子と調整可能抵抗器Ｒ０を介して接続される。バイポーラトランジスタＴ１のベース端子は、同様に、そのコレクタ端子と接続され、他方、エミッタ端子はグラウンドＶＳＳと接続される。ノードＫ２は、第２の回路ブランチのバイポーラトランジスタＴ２のコレクタ端子およびエミッタ端子と接続される。バイポーラトランジスタＴ２のエミッタ端子は、再び、グラウンドＶＳＳと接続される。
【００３０】
演算増幅器ＯＰ１の反転および非反転入力は、スイッチＳ４を介して短絡され得る。図４に示される定電圧ソースＶｄｃは、動作電圧電位の平均によって与えられる同相モードを表す。基準電圧Ｖｒｅｆは、演算増幅器ＯＰ１の出力にて取り出される。調整可能な抵抗器Ｒｏｆｆｓｅｔは、オフセット調整の目的で、演算増幅器ＯＰ１の端子にて存在する。
【００３１】
演算増幅器ＯＰ１のオフセット調整のために、スイッチＳ４およびＳ５が閉じられたスイッチ位置にあり、スイッチＳ１、Ｓ２およびＳ３は開けられる。結果として、外部回路は、演算増幅器ＯＰ１から切断される。この回路のこの構成において、演算増幅器ＯＰ１は、比較器として動作される。演算増幅器ＯＰ１は、調整可能抵抗器Ｒｏｆｆｓｅｔを設定することによって調整される。最適オフセット調整は、比較器の切り換え点を特徴とする。これは、同相電圧に対応し、すなわち、０Ｖで、例えば、対称的動作電圧電位の場合であり、または例えば、０Ｖおよび２．４Ｖの動作電圧電位の場合に１．２Ｖの値を有する。調整は、所定の室温または使用温度ＴＲにて行われる。このオフセット調整に基づいて、基準電圧Ｖｒｅｆは、ＢＧＲ回路を後で動作する際に、演算増幅器ＯＰ１によりもたらされたオフセットエラーを有しない。
【００３２】
演算増幅器ＯＰ１のオフセット調整が行われた後、スイッチＳ４およびＳ５は開かれ、スイッチＳ１、Ｓ２およびＳ３は閉じられる。このスイッチ位置において、調整可能抵抗器Ｒ０は、所定の室温または使用温度ＴＲにて、基準電圧Ｖｒｅｆが所定の基準電圧の値を推定して設定され得る。この測定値は、温度特性エラーを消去するので、基準電圧Ｖｒｅｆは、室温または使用温度ＴＲを取巻く特定の温度範囲に関して一定のプロファイルを有する。
【００３３】
図４に示されるＢＧＲ回路の動作の方法が以下に説明される。
【００３４】
回路図において、以下における電流および電圧が生じる。
【００３５】
Ｉｃ１：バイポーラトランジスタＴ１のコレクタ電流
Ｉｃ２：バイポーラトランジスタＴ２のコレクタ電流
Ｖｂｅ１：バイポーラトランジスタＴ１のベース−エミッタ電圧
Ｖｂｅ２：バイポーラトランジスタＴ２のベース−エミッタ電圧
ＶＲ０：調整可能抵抗器Ｒ０間の降下する電圧
ＶＲ１：抵抗器Ｒ１の間の降下する電圧
ＶＲ２：抵抗器Ｒ２の間の降下する電圧
演算増幅器ＯＰ１の出力にて存在する電圧Ｖｒｅｆは、抵抗器Ｒ２間の降下電圧ＶＲ２およびバイポーラトランジスタＴ２のベース−エミッタ電圧Ｖｂｅ２によって表される：
Ｖｒｅｆ＝ＶＲ２＋Ｖｂｅ２　　　　　　　　　　　　　　　　　　　（１）
ベースとエミッタとの間のバイポーラトランジスタにわたって降下する電圧は、温度への依存を有する。例えば、３００Ｋの温度および０．６Ｖの印加された電圧のベースエミッタ電圧の温度係数は、約−２ｍＶ／Ｋである。温度に対して安定した基準電圧Ｖｒｅｆを取得するために、同じ大きさであるが逆符号の温度係数を有する電圧は、ベース−エミッタ電圧に加算されなければならない。これは、抵抗器Ｒ２にわたって降下する電圧ＶＲ２が、３００Ｋの温度にて、＋２ｍＶ／Ｋの温度係数を有さなければならないことを意味する。この温度に依存する電圧は、バイポーラトランジスタＴ１の支援によって生成される。
【００３６】
これを明確にするために、図４に示されるＢＧＲ回路の種々のメッシュ等式を作成することがさらに必要である。以下のこと
Ｖｒｅｆ＝ＶＲ１＋Ｖｂｅ２　　　　　　　　　　　　　　　　　　　（２）
ＶＲ０＝Ｖｂｅ２−Ｖｂｅ１　　　　　　　　　　　　　　　　　　　（３）
が、さらにいえる。
【００３７】
調整可能抵抗器Ｒ０間の電圧ＶＲ０の等式（３）を作成するために、理想的演算増幅器の反転入力と非反転入力との間には電圧が降下しないことが考慮に入れられなければならない。同様に、理想的演算増幅器の入力を通って電流は流れない。従って、調整可能抵抗器Ｒ０を通って流れるものと同じ電流ＩＣ１が抵抗器Ｒ１を流れ、以下のこと
ＶＲ１／Ｒ１＝ＶＲ０／Ｒ０　　　　　　　　　　　　　　　　　　　（４）
が得られる。
等式（２）および（３）が等式（４）に代入された場合、以下のこと
Ｖｒｅｆ＝Ｖｂｅ２＋（Ｒ１／Ｒ０）＊（Ｖｂｅ２−Ｖｂｅ１）　　　（５）
がいえる。
等式（５）と等式（１）との比較は、等式（５）の右側の第２の項が電圧ＶＲ２を表すことを示す。
【００３８】
バイポーラトランジスタＴ１およびＴ２の温度に依存するコレクタ電流Ｉｃ１およびＩｃ２は、それぞれ、指数関数的にベース−エミッタ電圧Ｖｂｅ１およびＶｂｅ２、ならびに、いわゆる熱電圧ＶＴにそれぞれ依存する。
【００３９】
Ｉｃｘ＝Ｉｓｘ＊（ｅｘｐ（Ｖｂｅｘ／ＶＴ）−１）ただしｘ＝１、２　（６）
この場合、Ｉｓｘは、それぞれのバイポーラトランジスタＴ１またはＴ２の逆電流を示す。ケルビンでの絶対温度Ｔへの依存は次のように熱電圧ＶＴに当てはまる：
ＶＴ＝ｋ＊Ｔ／ｑ　　　　　　　　　　　　　　　　　　　　　　　　（７）
ここで、ｋはボルツマン定数（１．３８＊１０−２３Ｊ／Ｋ）、およびｑは電気素量（１．６＊１０−１９Ｃ）を示す。等式（６）を変換すると、Ｖｂｅｘ＞＞ｋ＊Ｔ／ｑに関して
Ｖｂｅｘ＝ＶＴ＊１ｎ（Ｉｃｘ／Ｉｓｘ）　　　　　　　　　　　　　（８）
になる。
この等式が図４に示されるＢＧＲ回路に適用され、かつ
ＶＲ１＝ＶＲ２　　　　　　　　　　　　　　　　　　　　　　　　　（９）
が考慮に入れられる場合、等式（３）について、以下の結果
ＶＲ０＝Ｖｂｅ２−Ｖｂｅ１＝ＶＴ＊１ｎ（Ｒ１／Ｒ２）　　　　　（１０）
が得られる。この等式を用いて、２つのバイポーラトランジスタＴ１およびＴ２が構造的に同じであり、従って、同一の逆電流Ｉｓｘを有することが仮定されている。等式（１０）は、その後、等式（５）
に代入され得る。
【００４０】
Ｖｒｅｆ＝Ｖｂｅ２＋（Ｒ１／Ｒ０）＊ＶＴ＊１ｎ（Ｒ１／Ｒ２）　（１１）
上述のように、ベース−エミッタ電圧Ｖｂｅ２は、−２ｍＶ／Ｋの温度係数を有する。等式（７）は、熱電圧ＶＴが、＋０．０８６ｍＶ／Ｋの温度係数を有することを示す。抵抗器Ｒ０、Ｒ１およびＲ２の適切な選択によって、等式（１１）の右側の第２の項は、＋２ｍＶ／Ｋの温度係数を有するように設計され得る。
【００４１】
要約すると、本発明によるＢＧＲ回路は、逆符号の、大きさが同じである温度係数を有する２つの電圧を生成する。これらの２つの電圧を加算すると、温度に対して安定した基準電圧が得られる。基準電圧の理想的値および基準電圧の理想的温度応答からのずれは、同じ生産シリーズの異なったＢＧＲ回路に用いられる同じコンポーネント間の不均一性に基づいて生じる。本発明によるＢＧＲ回路は、用いられる演算増幅器および組み込まれた抵抗器の両方のこのような不均一性が電圧調整によって補償されることを可能にする。
【図面の簡単な説明】
【図１Ａ】
図１Ａは、オフセットエラーを説明するために、温度に対する基準電圧がプロットされるグラフを示す。
【図１Ｂ】
図１Ｂは、温度特性エラーを説明するために、温度に対する基準電圧がプロットされるグラフを示す。
【図２】
図２は、本発明によるオフセットエラー補償を説明するために、基準電圧が温度に対してプロットされるグラフを示す。
【図３】
図３は、本発明による温度特性エラー補償を説明するために、基準電圧が温度に対してプロットされるグラフを示す。
【図４】
図４は、本発明による、ＢＧＲ回路の回路図を示す。
【図１Ａ】
2004514230.tif 000003
【図１Ｂ】
2004514230.tif 000004
【図２】
2004514230.tif 000005
【図３】
2004514230.tif 000006
【国際公開パンフレット】
2004514230.tif 000007
2004514230.tif 000008
2004514230.tif 000009
2004514230.tif 000010
2004514230.tif 000011
2004514230.tif 000012
2004514230.tif 000013
2004514230.tif 000014
2004514230.tif 000015
2004514230.tif 000016
2004514230.tif 000017
2004514230.tif 000018
2004514230.tif 000019
2004514230.tif 000020
2004514230.tif 000021
2004514230.tif 000022
2004514230.tif 000023
2004514230.tif 000024
2004514230.tif 000025
2004514230.tif 000026
2004514230.tif 000027
【手続補正書】
【提出日】平成14年8月26日(2002.8.26)
【手続補正１】
【補正対象書類名】明細書
【補正対象項目名】００１０
【補正方法】変更
【補正の内容】
【００１０】
基準電圧の絶対値および温度の安定度に関して非常に厳しい要求を満たす必要があるＢＧＲ回路は、それらの回路の絶対値（オフセットエラーによって支配される）および回路の温度応答の両方の点について最適化される必要がある。このようなＢＧＲ回路は、２つの異なった温度にて調整される必要がある。このために複雑性が必要とされることは不利である。
米国特許明細書ＵＳ６，１１８，２６４　Ａ号は、調整デバイスと接続されるＢＧＲ回路を記載する。調整デバイスは、ＢＧＲ回路によって提供されるＢＧＲ電圧に付加される補正電圧を生成する。その結果、基準電圧が生成される。補正電圧は、特定の温度範囲に関して、ＢＧＲ電圧と逆の温度特性を有する。全体として、これによって、基準電圧の温度特性が改善される。




【国際調査報告】
2004514230.tif 000028
2004514230.tif 000029
2004514230.tif 000030
2004514230.tif 000031